(57)【要約】【課題】ユーザーの要求に応じて、ロール状のトイレットペーパーを所定量自動的に送り出して供給する事のできるトイレットペーパー自動供給装置を提供。【解決手段】トイレットペーパー自動供給装置１０は、ロール状トイレットペーパー１をロール軸１ｘが水平となるように保持し且つ上記ペーパー１を送り出し可能に設けられたペーパー保持器１１と、この保持器のペーパー送り出し部の近傍に設けられたペーパー受け皿１３と、この受け皿に対しユーザーの指示に従って上記ペーパー１を所定量だけ送り出すペーパー送り出し機構１００とを備え、ペーパー送り出し機構は、前記指示に従って所定期間に亘り回転動作するモーター（１２１，１２２）と、回転駆動されペーパー受け皿１３に対しトイレットペーパー１を送り出す送り出しローラー（１４１，１４２）と、送り出しローラーが停止したとき上記ペーパー１の送り出し尾端１ｂを切断する手段とを備えたことを主たる特徴としている。【選択図】　　図１
2004097393.tif 000002
【特許請求の範囲】
【請求項１】
ロール状のトイレットペーパーを、ロール軸が水平となるように保持し、且つ上記ペーパーを送り出し可能に設けられたペーパー保持器と、
このペーパー保持器のペーパー送り出し部の近傍に設けられたペーパー受け皿と、
このペーパー受け皿に対し、ユーザーの指示に従って前記トイレットペーパーを所定量だけ送り出すペーパー送り出し機構とを備え、
前記ペーパー送り出し機構は、
ユーザーの指示に応動して所定期間にわたり回転動作するモーターと、
このモーターにより回転駆動され、前記ペーパー受け皿に対し前記ロール状のトイレットペーパーを送り出す送り出しローラーと、
前記モーターの停止に伴い前記送り出しローラーが停止したとき、前記ロール状のトイレットペーパーの送り出し尾端を切断する手段と、
を備えたことを特徴とするトイレットペーパー自動供給装置。
【請求項２】
ロール状のトイレットペーパーを、ロール軸が水平となるように保持し、且つ上記ペーパーを送り出し可能に設けられたペーパー保持器と、
このペーパー保持器のペーパー送り出し部の近傍に設けられたペーパー受け皿と、
このペーパー受け皿に対し、ユーザーの指示に従って前記トイレットペーパーを所定量だけ送り出すペーパー送り出し機構と、
を備え、前記ペーパー送り出し機構は、
ユーザーの指示に応動して所定期間にわたり回転動作する第一，第二のモーターと、
この第一，第二のモーターによりそれぞれ回転駆動され、前記ロール状のトイレットペーパーを前記ペーパー受け皿に対し送り出す如く、送り出し方向に沿って隣接配置された第一，第二の送り出しローラーと、
前記第一の送り出しローラーの回転停止より、前記第二の送り出しローラーの回転停止を遅らせることにより、前記ロール状のトイレットペーパーの送り出し尾端を切断する手段と、
を備えたことを特徴とするトイレットペーパー自動供給装置。
【請求項３】
ロール状のトイレットペーパーを、ロール軸が水平となるように保持し、且つ上記ペーパーを送り出し可能に設けられたペーパー保持器と、
このペーパー保持器のペーパー送り出し部の近傍に設けられたペーパー受け皿と、
このペーパー受け皿に対し、ユーザーの指示に従って前記トイレットペーパーを所定量だけ送り出すペーパー送り出し機構と、
を備え、前記ペーパー送り出し機構は、
ユーザーの指示に応動してＯＮとなるスタートスイッチと、
前記スタートスイッチがＯＮとなった時点から、第一の時限まで出力を送出する第一のタイマー回路と、
この第一のタイマー回路の出力で回転する第一のモーターと、
前記スタートスイッチがＯＮとなった時点から、前記第一の時限より所定時間だけ長い第二の時限まで出力を送出する第二のタイマー回路と、
この第二のタイマー回路の出力で回転する第二のモーターと、
前記第一，第二のモーターによりそれぞれ回転駆動され、前記ロール状のトイレットペーパーを前記ペーパー受け皿に対し送り出す如く、送り出し方向に沿って順次隣接して配置された第一，第二の送り出しローラーと、
を備えたことを特徴とするトイレットペーパー自動供給装置。
【請求項４】
前記トイレットペーパーの送り出し部分を、前記送り出しローラーの上面に圧接させる手段を更に備えたことを特徴とする請求項１又は２又は３に記載のトイレットペーパー自動供給装置。
【請求項５】
前記送り出しローラーが停止したとき作動し、前記ロール状のトイレットペーパーの送り出し尾端を切断するカッターを更に備えたことを特徴とする請求項１ないし４のいずれか一つに記載のトイレットペーパー自動供給装置。
【請求項６】
ロール状のトイレットペーパーを、ロール軸が水平となるように保持し、且つ上記ペーパーを送り出し可能に設けられたペーパー保持器と、
このペーパー保持器のペーパー送り出し部の近傍に設けられたペーパー受け皿と、
このペーパー受け皿に対し、ユーザーの指示に従って前記トイレットペーパー１を所定量だけ送り出すペーパー送り出し機構と、
を備え、前記ペーパー送り出し機構は、
ユーザーの指示によりＯＮ操作されるスタートスイッチおよびＯＦＦ操作されるストップスイッチと、
前記スタートスイッチがＯＮ操作されたことにより回転を開始し、前記ストップスイッチがＯＦＦ操作されたことにより回転を停止するモーターと、
このモーターにより回転駆動され、前記ロール状のトイレットペーパーを前記ペーパー受け皿に対し送り出す送り出しローラーと、
前記ストップスイッチのＯＦＦ操作されたときに作動し、前記ロール状のトイレットペーパーの送り出し尾端を切断するカッターと、
を備えたことを特徴とするトイレットペーパー自動供給装置。
【発明の詳細な説明】
【０００１】
【発明の属する技術分野】
本発明は、例えば身体障害者用の福祉機器として好適なトイレットペーパー自動供給装置に関する。
【０００２】
【従来の技術】
一般に、公共施設や然るべき建造物の内部には、大概の場合、身体障害者用のトイレットが完備されている。これらの身体障害者用のトイレットにおいては、例えばバリアフリー設備、ボタン操作でドアを自動開閉する設備、手摺り等のガイド設備、等の改良された諸設備が整備されている。しかし、トイレットペーパーの供給に関しては、従来のトイレットペーパー供給装置がそのまま使用されているケースが殆どである。なおロール状のトイレットペーパーを自動的に補給する装置については提案がなされている（特許文献１参照）。しかしロール状のトイレットペーパーを使用に供するためにペーパーを自動的に巻き戻して送り出す装置は今のところ見当たらない。
【０００３】
【特許文献１】
特開平６−７２６３号公報（図１）
【０００４】
【発明が解決しようとする課題】
従来のトイレットペーパー供給装置では、使用に際して、トイレットペーパーを自分自身で千切る必要がある。しかるに例えば半身麻痺等の身体障害者や怪我等によって手が不自由な人にとっては、自分自身ではトイレットペーパーを容易に千切ることができない。このためユーザーは大変不便を感じることになる。
【０００５】
本発明は、このような事情に基づいてなされたものであり、その目的は、ユーザーの要求に応じて、ロール状のトイレットペーパーを所定量自動的に送り出して供給する事のできるトイレットペーパー自動供給装置を提供することにある。
【０００６】
【課題を解決するための手段】
前記課題を解決し目的を達成するために、本発明のトイレットペーパー自動供給装置は下記のような特徴ある構成を有している。なお下記以外の特徴ある構成については実施形態の中で明らかにする。
【０００７】
本発明のトイレットペーパー自動供給装置は、
ロール状のトイレットペーパーを、ロール軸が水平となるように保持し、且つ上記ペーパーを送り出し可能に設けられたペーパー保持器と、このペーパー保持器のペーパー送り出し部の近傍に設けられたペーパー受け皿と、このペーパー受け皿に対し、ユーザーの指示に従って前記トイレットペーパーを所定量だけ送り出すペーパー送り出し機構とを備え、
前記ペーパー送り出し機構は、ユーザーの指示に応動して所定期間にわたり回転動作するモーターと、このモーターにより回転駆動され、前記ペーパー受け皿に対し前記ロール状のトイレットペーパーを送り出す送り出しローラーと、前記モーターの停止に伴い前記送り出しローラーが停止したとき、前記ロール状のトイレットペーパーの送り出し尾端を切断する手段と、を備えたことを特徴としている。
【０００８】
上記トイレットペーパー自動供給装置においては、ユーザーがスタートスイッチをワンタッチでＯＮ操作するのみで、ユーザーの要求に応じて、ロール状のトイレットペーパーが所定量だけ自動的に送り出され、且つその送り出し尾端が自動的に千切られる。かくしてユーザーが、たとえ手が不自由な人であっても所定量のトイレットペーパーを容易に手にすることができる。
【０００９】
【発明の実施の形態】
（第一実施形態）
図１は本発明の第一実施形態に係るトイレットペーパー自動供給装置の概略的構成を示す図で、（ａ）は正面図、（ｂ）は（ａ）のｂ−ｂ線矢視断面図である。図２は同実施形態に係るトイレットペーパー自動供給装置のペーパー送り出し機構の構成を示す図で、（ａ）はケース前面を破断して示す正面図、（ｂ）は（ａ）のｂ−ｂ線矢視断面図である。
【００１０】
図１の（ａ）（ｂ）及び図２の（ａ）（ｂ）に示すように、第一実施形態に係るトイレットペーパー自動供給装置１０は、ロール状のトイレットペーパー１を、ロール軸１ｘが水平となるように保持し、且つ上記ペーパー１を外部へ送り出し可能に設けられたペーパー保持器１１を備えている。このペーパー保持器１１はその上面に内面が半円筒形をなすロール保持部１４を有している。このロール保持部１４の上部領域は、上蓋１２により開閉自在に蓋され得るものとなっている。この蓋の前方部下面は平坦面となっており、後述するように送り出しローラーの上面に対しペーパー送り出し部位１ａを圧接させる。上蓋１２の前面にはスタートスイッチ１５が設けられている。
【００１１】
ペーパー保持器１１のペーパー送り出し部の近傍（保持器外部）には、送り出されたペーパーを受け止めるためのペーパー受け皿１３が設けられている。またペーパー保持器１１のペーパー送り出し部の近傍（保持器内部）には、ユーザーの指示に従って前記トイレットペーパー１を、前記ペーパー受け皿１３に対し、所定量だけ送り出すペーパー送り出し機構１００が設けられている。
【００１２】
ペーパー送り出し機構１００は、後述する駆動制御器１１０と、この駆動制御器１１０によって駆動制御される第一、第二のモーター１２１，１２２と、この第一、第二のモーター１２１，１２２によってそれぞれ回転駆動され、前記ロール状のトイレットペーパー１を前記ペーパー受け皿１３に対し送り出す送り出しローラー１４１，１４２とを備えている。
【００１３】
図２の（ａ）（ｂ）に示すように、第一、第二のモーター１２１，１２２はＬ型部材からなるモーターブラケット１５１，１５２にそれぞれ取付けられている。モーターブラケット１５１，１５２は、スプリングワッシャーを介在させた取付けピン１６１，１６２によって、ケース１０１の底壁部１０２の上に固定されている。第一のモーター１２１の各端子１２１ａ，１２１ｂ（不図示）及び第二のモーター１２２の各端子１２２ａ，１２２ｂは、いづれも前記駆動制御器１１０と接続される。
【００１４】
第一のモーター１２１のシャフト１２１ｃには回転力伝達ローラー１３１が取付けてある。この回転力伝達ローラー１３１は第一の送り出しローラー１４１の外周面に下方から圧接している。
【００１５】
第二のモーター１２２のシャフト１２２ｃには回転力伝達ローラー１３２が取付けてある。この回転力伝達ローラー１３２は第二の送り出しローラー１４２の外周面に下方から圧接している。
【００１６】
従って第一，第二の送り出しローラー１４１，１４２は、回転力伝達ローラー１３１，１３２を介して第一，第二のモーター１２１，１２２からそれぞれ回転力を伝達されて回転駆動される。上記ローラーの表面には摩擦抵抗を大きくするためのザラツキが形成されている。第一の送り出しローラー１４１と第二の送り出しローラー１４２とは、ロール状のトイレットペーパー１をペーパー受け皿１３に対し送り出し得るように、送り出し方向に沿って順次隣接して配置されている。
【００１７】
図３の（ａ）〜（ｄ）は駆動制御器１１０の構成を示す図である。図３の（ａ）に示すように、駆動制御器１１０は、設定時限を任意に可変設定可能な如く設けられた第一のタイマー回路１１１及び第二のタイマー回路１１２を含むタイマー１１３を主体として構成されている。このタイマー１１３は、電源１１４に対し前記スタートスイッチ１５を介して接続されている。タイマー１１３は自己保持用の接点ＴＣ３と、自己解除用の接点ＴＣ４とを有している。
【００１８】
第一のタイマー回路１１１は前記スタートスイッチ１５がＯＮとなった時点ｔ１直後から、第一の時限ｔ３まで出力を送出するための第一のタイマー接点ＴＣ１を備えている。
【００１９】
第二のタイマー回路１１２は前記スタートスイッチ１５がＯＮとなった時点ｔ１直後から、前記第一の時限ｔ３より所定時間だけ長い第二の時限ｔ４まで出力を送出するための第二のタイマー接点ＴＣ２を有している。
【００２０】
第一のモーター１２１は上記第一のタイマー回路１１１の出力で回転し、第二のモーター１２２は第二のタイマー回路１１２の出力で回転するものとなっている。
【００２１】
上記の如く構成された駆動制御器１１０は、次のように動作する。図３の（ｂ）に示すように、時点ｔ１でスタートスイッチ１５がＯＮになると、タイマー１３に電源１１４が供給される。このためタイマーが１１３が作動し、時点ｔ２において自己保持接点ＴＣ３によって自己保持状態となる。時点ｔ２で第一のタイマー接点ＴＣ１及び第二のタイマー接点ＴＣ２が閉じるので、第一のモーター１２１及び第二のモーター１２２は回転を始める。これに伴い第一，第二の送り出しローラー１４１，１４２が図３の（ｃ）に矢印で示すように、共に同一方向回転するため、トイレットペーパー１はペーパー受け皿１３の方向へ送り出される。時点ｔ３で第一のタイマー接点ＴＣ１がＯＦＦになると、この時点で第一のモーター１２１は回転を停止する。しかしこの時点では第二のモーター１２２は回転を続ける。このため、図３の（ｄ）に示すように、第一の送り出しローラー１４１が回転を停止した状態において第二の送り出しローラー１４２の回転が継続する。
【００２２】
このときトイレットペーパー１の送り出し部分１ａは、ここには図示してないが、上蓋１２の前方部下端の平坦面により第一、第二の送り出しローラー１４１，１４２に対して圧接されている。このためロール状のトイレットペーパー１の送り出し尾端１ｂに長手方向の引張り力が働き、この部分が自動的に切り離される。時点ｔ３から約１秒程度の一定時間ＴＳだけ経過した時点ｔ４で、第二のタイマー接点ＴＣ２がＯＦＦになると、この時点で第二のモーター１２２は回転を停止する。これにより所定量のロール状のトイレットペーパー１がペーパー受け皿１３に送り出されることになる。時点ｔ５で自己解除用の接点ＴＣ４が瞬時的にＯＦＦする。そうすると、タイマー１１３は電源１１４を断たれ初期状態に戻る。
【００２３】
図４の（ａ）〜（ｆ）は、トイレットペーパー自動供給装置１０の使用法を示す図である。
【００２４】
（ａ）に矢印で示すように、ロール状のトイレットペーパー１をロール保持部１４に装填する。そして、（ｂ）に示すようにトイレットペーパー１の先端部を引き出し、その送り出し部分１ａを送り出しローラー１４１，１４２の上にのせる。そして（ｃ）に示すように上蓋１２を閉じる。これにより本装置はセット状態となる。
【００２５】
ここで、ユーザーがスタートスイッチ１５をおＯＮ操作すると、（ｄ）に示すようにトイレットペーパー１がペーパー受け皿１３の上に順次送り出されてくる。トイレットペーパー１が所定量おくり出され、タイマー１１３が設定時限に達すると、（ｅ）に示すように第一のローラー１２１と第二のローラー１２２との回転停止のタイミングの差によって、トイレットペーパー１の送り出し尾端１ｂが自動的に千切られる。かくして（ｆ）に示すように所定量のトイレットペーパーが使用可能ペーパー２として重なり合った状態で供給される。なお供給された使用可能ペーパー２の量が不足である場合には、スタートスイッチ１５を再度ＯＮ操作すればよい。
【００２６】
（第二実施形態）
図５の（ａ）（ｂ）は第二実施形態の構成を示す正面図および略式の側断面図である。この第二実施形態が前記第一実施形態と異なる点は、ユーザーの指示によりＯＮ操作されるスタートスイッチ１５ＡおよびＯＦＦ操作されるストップスイッチ１５Ｂと、上記スタートスイッチ１５ＡがＯＮ操作されたことにより回転を開始し、前記ストップスイッチ１５ＢがＯＦＦ操作されたことにより回転を停止する第一，第二のモーター１２１，１２２と、前記ストップスイッチ１５ＢがＯＦＦ操作されたときに作動し、前記ロール状のトイレットペーパー１の送り出し尾端１ａを切断するカッター１７０と、を備えた点である。なおカッター１７０は、電磁ソレノイド１７１により刃部１７２を上下方向に移動させ得る如く構成されている，
本実施形態によれば、スタートスイッチ１５ＡがＯＮ操作されると、図６の（ａ）に示すように、第一のモーター１２１及び第二のモーター１２２が回転を始め、これに伴い第一，第二の送り出しローラー１４１，１４２が図６の（ａ）に矢印で示すように、共に同一方向回転する。このため、トイレットペーパー１はペーパー受け皿１３の方向へ送り出される。任意のタイミングでストップスイッチ１５ＢがＯＦＦ操作されると、カッター１７０が作動し、図６の（ｂ）に示すように、前記ロール状のトイレットペーパー１の送り出し尾端１ａが切断される。これと略同時に、第一，第二のモーター１２１，１２２が電源１１４を断たれる。このため第一，第二のモーター１２１，１２２は所謂イナーシャによる回転を続けた後、回転を停止する。これにより所定量のロール状のトイレットペーパー１がペーパー受け皿１３に送り出され、初期状態に戻る。
【００２７】
（実施形態における特徴点）
［１］実施形態に示されたトイレットペーパー自動供給装置１０は、
ロール状のトイレットペーパー１を、ロール軸１ｘが水平となるように保持し、且つ上記ペーパー１を送り出し可能に設けられたペーパー保持器１１と、
このペーパー保持器１１のペーパー送り出し部の近傍に設けられたペーパー受け皿１３と、
このペーパー受け皿１３に対し、ユーザーの指示に従って前記トイレットペーパー１を所定量だけ送り出すペーパー送り出し機構１００と、
を備え、前記ペーパー送り出し機構１００は、
ユーザーの指示に応動して所定期間にわたり回転動作するモーター（１２１，１２２）と、
このモーター（１２１，１２２）により回転駆動され、前記ペーパー受け皿１３に対し前記ロール状のトイレットペーパー１を送り出す送り出しローラー（１４１，１４２）と、
前記モーター（１２１，１２２）の停止に伴い前記送り出しローラー（１４１，１４２）が停止したとき、前記ロール状のトイレットペーパー１の送り出し尾端１ｂを切断する手段と、
を備えたことを特徴としている。
【００２８】
上記トイレットペーパー自動供給装置１０においては、ユーザーがスタートスイッチ１５をワンタッチでＯＮ操作するのみで、ユーザーの要求に応じて、ロール状のトイレットペーパー１が所定量だけ自動的に送り出され、且つその送り出し尾端１ｂが自動的に千切られる。かくしてユーザーが、たとえ手が不自由な人であっても所定量のトイレットペーパー１を容易に手にすることができる。
【００２９】
［２］実施形態に示されたトイレットペーパー自動供給装置１０は、
ロール状のトイレットペーパー１を、ロール軸１ｘが水平となるように保持し、且つ上記ペーパー１を送り出し可能に設けられたペーパー保持器１１と、
このペーパー保持器１１のペーパー送り出し部の近傍に設けられたペーパー受け皿１３と、
このペーパー受け皿１３に対し、ユーザーの指示に従って前記トイレットペーパー１を所定量だけ送り出すペーパー送り出し機構１００と、
を備え、前記ペーパー送り出し機構１００は、
ユーザーの指示に応動して所定期間にわたり回転動作する第一，第二のモーター１２１，１２２と、
この第一，第二のモーター１２１，１２２によりそれぞれ回転駆動され、前記ロール状のトイレットペーパー１を前記ペーパー受け皿１３に対し送り出す如く、送り出し方向に沿って隣接配置された第一，第二の送り出しローラー１４１，１４２と、
前記第一の送り出しローラー１４１の回転停止より、前記第二の送り出しローラー１４２の回転停止を遅らせることにより、前記ロール状のトイレットペーパー１の送り出し尾端１ｂを切断する手段と、
を備えたことを特徴としている。
【００３０】
［３］実施形態に示されたトイレットペーパー自動供給装置１０は、
ロール状のトイレットペーパー１を、ロール軸１ｘが水平となるように保持し、且つ上記ペーパー１を送り出し可能に設けられたペーパー保持器１１と、
このペーパー保持器１１のペーパー送り出し部の近傍に設けられたペーパー受け皿１３と、
このペーパー受け皿１３に対し、ユーザーの指示に従って前記トイレットペーパー１を所定量だけ送り出すペーパー送り出し機構１００と、
を備え、前記ペーパー送り出し機構１００は、
ユーザーの指示に応動してＯＮとなるスタートスイッチ１５と、
前記スタートスイッチ１５がＯＮとなった時点ｔ１から、第一の時限ｔ３まで出力を送出する第一のタイマー回路１１１と、
この第一のタイマー回路１１１の出力で回転する第一のモーター１２１と、
前記スタートスイッチ１５がＯＮとなった時点ｔ１から、前記第一の時限ｔ３より所定時間だけ長い第二の時限ｔ４まで出力を送出する第二のタイマー回路１１２と、
この第二のタイマー回路１１２の出力で回転する第二のモーター１２２と、
前記第一，第二のモーター１１１，１１２によりそれぞれ回転駆動され、前記ロール状のトイレットペーパー１を前記ペーパー受け皿１３に対し送り出す如く、送り出し方向に沿って順次隣接して配置された第一，第二の送り出しローラー１４１，１４２と、
を備えたことを特徴としている。
【００３１】
［４］実施形態に示されたトイレットペーパー自動供給装置１０は、前記［１］又は［２］又は［３］に記載のトイレットペーパー自動供給装置であって、
前記トイレットペーパー１の送り出し部分１ａを、前記送り出しローラー１４１，１４２の上面に圧接させる手段（上蓋１２など）を更に備えたことを特徴としている。
【００３２】
［５］実施形態に示されたトイレットペーパー自動供給装置１０は、前記［１］〜［４］に記載のトイレットペーパー自動供給装置であって、
前記送り出しローラー（１４１，１４２）が停止したとき作動し、前記ロール状のトイレットペーパー１の送り出し尾端１ａを切断するカッター１７０を更に備えたことを特徴としている。
【００３３】
［６］実施形態に示されたトイレットペーパー自動供給装置１０は、
ロール状のトイレットペーパー１を、ロール軸１ｘが水平となるように保持し、且つ上記ペーパー１を送り出し可能に設けられたペーパー保持器１１と、
このペーパー保持器１１のペーパー送り出し部の近傍に設けられたペーパー受け皿１３と、
このペーパー受け皿１３に対し、ユーザーの指示に従って前記トイレットペーパー１を所定量だけ送り出すペーパー送り出し機構１００と、
を備え、前記ペーパー送り出し機構１００は、
ユーザーの指示によりＯＮ操作されるスタートスイッチ１５ＡおよびＯＦＦ操作されるストップスイッチ１５Ｂと、
前記スタートスイッチ１５ＡがＯＮ操作されたことにより回転を開始し、前記ストップスイッチ１５ＢがＯＦＦ操作されたことにより回転を停止するモーター（１２１，１２２）と、
このモーター（１２１，１２２）により回転駆動され、前記ロール状のトイレットペーパー１を前記ペーパー受け皿１３に対し送り出す送り出しローラー（１４１，１４２）と、
前記ストップスイッチ１５ＢのＯＦＦ操作されたときに作動し、前記ロール状のトイレットペーパー１の送り出し尾端１ｂを切断するカッター１７０と、
を備えたことを特徴としている。
【００３４】
（変形例）
実施形態に示されたトイレットペーパー自動供給装置は、下記の変形例を含んでいる。
【００３５】
・送り出しローラー１４１，１４２の上部にそれぞれ接触した形で一対の圧接ローラーを設け、この圧接ローラーによって、トイレットペーパー１の送り出し部分１ａを、前記送り出しローラー１４１，１４２の上にそれぞれ圧接させるようにしたもの。
【００３６】
・第二のモーター１２２に電流の立下り遅延回路を付設し、ストップスイッチ１５ＡをＯＦＦ操作したとき、第一のモーター１２１より若干遅れて第二のモーター１２２が回転を停止するようにしたもの。
【００３７】
・スタートスイッチ１５として赤外線による近接センサーを用いたもの。
【００３８】
【発明の効果】
本発明によれば、ユーザーの要求に応じて、ロール状のトイレットペーパーを所定量自動的に送り出して供給する事のできるトイレットペーパー自動供給装置を提供できる。
【図面の簡単な説明】
【図１】本発明の第一実施形態に係るトイレットペーパー自動供給装置の概略的構成を示す図で、（ａ）は正面図、（ｂ）は（ａ）のｂ−ｂ線矢視断面図。
【図２】本発明の第一実施形態に係るトイレットペーパー自動供給装置のペーパー送り出し機構の構成を示す図で、（ａ）はケース前面を破断して示す正面図、（ｂ）は（ａ）のｂ−ｂ線矢視断面図。
【図３】本発明の第一実施形態に係るトイレットペーパー自動供給装置における駆動制御器の構成を示す図で、（ａ）は回路構成図、（ｂ）は動作タイミングを示す図、（ｃ）及び（ｄ）は動作説明図。
【図４】本発明の第一実施形態に係るトイレットペーパー自動供給装置の使用法を示す図。
【図５】本発明の第二実施形態に係るトイレットペーパー自動供給装置の概略的構成を示す図で、（ａ）は正面図、（ｂ）は略式の側断面図。
【図６】本発明の第二実施形態に係るトイレットペーパー自動供給装置における駆動制御器の構成を示す図で、（ａ）及び（ｂ）は動作説明図。
【符号の説明】
１　ロール状のトイレットペーパー
２　使用可能ペーパー
１０　トイレットペーパー自動供給装置
１１　ペーパー保持器
１２　上蓋
１３　ペーパー受け皿
１４　ロール保持部
１５　スタートスイッチ
１００　ペーパー送り出し機構
１０１　ケース
１１０　駆動制御器
１１３　タイマー
１２１，１２２　第一，第二のモーター
１３１，１３２　回転力伝達ローラー
１４１，１４２　第一，第二の送り出しローラー
１５１，１５２　モーターブラケット
１６１，１６２　取付けピン
【図１】
2004097393.tif 000003
【図２】
2004097393.tif 000004
【図３】
2004097393.tif 000005
【図４】
2004097393.tif 000006
【図５】
2004097393.tif 000007
【図６】
2004097393.tif 000008